(57)【要約】【課題】本発明は容易に物体をスライド移動するためのフリーベアリングにおいて、容易かつ正確にその高さを調節することができるフリーベアリングを提供する。【解決手段】フリーベアリング本体のハウジング円筒部外面と該フリーベアリング本体を支持するアウターハウジングの円筒部内面に、溝と突起による溝カムを形成し、該溝カムを案内として該フリーベアリング本体と該アウターハウジングとが摺動および回動および係止することを可能と成らしめ、被着体からメインボール先端までの高さ調節を可能としたことを特徴とする高さ調節機構付きフリーベアリングである。また、前記アウターハウジングの機能を電子機器筐体もしくは電子機器台などの底面に一体的または別体的な手段で組み込んだ前記特徴を持った高さ調節機構付きフリーベアリングである。【選択図】図７
2008102764.tif 000002
【特許請求の範囲】
【請求項１】
主としてメインボールおよびその支持手段およびそれらを内包するハウジングによって構成するフリーベアリング本体と該フリーベアリング本体を支持しつつ被着体に固定されるアウターハウジングとによって構成するフリーベアリングにあって、該フリーベアリング本体のハウジング円筒部外面と該アウターハウジングの円筒部内面に、溝と突起による溝カムを形成し、該溝カムを案内として該フリーベアリング本体と該アウターハウジングとが摺動および回動および係止することを可能と成らしめ、被着体からメインボール先端までの高さ調節を可能としたことを特徴とする高さ調節機構付きフリーベアリング。
【請求項２】
前記アウターハウジングの機能を電子機器筐体もしくは電子機器台などの底面に一体的または別体的な手段で組み込んだ請求項１に記載の高さ調節機構付きフリーベアリング。
【発明の詳細な説明】
【技術分野】
【０００１】
本発明は容易に物体をスライド移動するためのフリーベアリングにおいて、容易かつ正確にその高さを調節することができるフリーベアリングに関するものである。
【背景技術】
【０００２】
従来の高さ調節機構を敷設したフリーベアリングは、フリーベアリング本体の中心軸上に直列的に配設したおねじにより、固定位置を調節するものが一般的であった。（図１参照）
【特許文献１】図１従来例
【発明の開示】
【発明が解決しようとする課題】
【０００３】
そのため、以下のような問題点があった。
（イ） 高さを調節しようとする場合、ロックナットを緩め、おねじを回して高さを変え、再びロックナットを締めるという手順が必要であり、調節作業が煩わしい。
（ロ） 複数のフリーベアリングを同じ高さに正確に調節することが難しい。
（ハ） フリーベアリングとおねじが直列に配設されているためフリーベアリング全高が高く、使用場所に制約がある。
（二）ねじで固定するため、被着体に穴またはめねじが必要である。
本発明は以上のような問題点を解決するためになされたものである。
【課題を解決するための手段】
【０００４】
フリーベアリング本体のハウジング円筒部外面と該フリーベアリング本体を支持するアウターハウジングの円筒部内面に、溝と突起による溝カムを形成し、該溝カムを案内として該フリーベアリング本体と該アウターハウジングとが摺動および回動および係止することを可能と成らしめ、被着体からメインボール先端までの高さ調節を可能としたことを特徴とする高さ調節機構付きフリーベアリングである。また、前記アウターハウジングの機能を電子機器筐体もしくは電子機器台などの底面に一体的または別体的な手段で組み込んだ前記特徴を持った高さ調節機構付きフリーベアリングである。
【発明の効果】
【０００５】
本発明は机上のノートパソコンや電話機などの電子機器移動用として使用する場合、下記の如き効果が得られる。
（イ）
ノートパソコンのキーボードなどの傾斜角を調節することができる。
（ロ）
ノートパソコンなどの底面と机との隙間を調節することができる。
（ハ）
複数個のフリーベアリングを同じ高さに簡単な操作で調節することができる。
（ニ）
ノートパソコンもしくはパソコン台などに後付けする場合、穴を空ける必要が無く、両面テープなどにて被着体底部に装着することが可能である。
（ホ）
ノートパソコンの筐体やパソコン台などに直接組み込むことが容易である。
これらにより、フリーベアリングの基本効果として、椅子に座った状態でも容易に前後、左右、斜め、回転等自在にスライド移動できることの他、高さ調節機構により、打鍵性の良いキーボード角度を得ることができる、ノートパソコンの放熱性能を向上することができるなど、大変便利で有用なフリーベアリングを提供することができる。
【発明を実施するための最良の形態】
【０００６】
以下、本発明の実施形態を図２、図３、図４、図５、図６、図７、図８にて説明する。
本発明品は図２に示す如くフリーベアリング本体１とアウターハウジング２にて構成する。
フリーベアリング本体１の構造の一例を図３に示す。この例ではフリーベアリング本体１は、ハウジング１ａ、キャップ１ｂ、メインボール１ｃ、コンタクトプレート１ｄより構成され、ハウジング１ａとキャップ１ｂはメインボール１ｃとコンタクトプレート１ｄを内包した後、溶着または接着１ｅにて固着される。ハウジング１ａの円筒部外面１ａａには、後述のアウターハウジング本体２ａの突起２ａａと対を成して溝カムを形成する複数個の溝１ａｂが彫られている。
【０００７】
アウターハウジング２の構造の一例を図４に示す。この例ではアウターハウジング２は、アウターハウジング本体２ａと両面テープなどの接着手段２ｂにより構成され、アウターハウジング本体２ａの円筒部内面２ａａには、前記フリーベアリング本体１の溝１ａｂに対応する位置と個数の突起２ａｂが形成されている。
【０００８】
図５はフリーベアリング本体１のハウジング１ａの円筒部外面１ａａに複数個彫られた溝１ａｂの１個の溝形状を示す。該溝１ａｂは４つの部分から成り、１ａｂａはアウターハウジング本体２ａの突起２ａｂを挿入する部分、１ａｂｂは突起２ａｂが上下に摺動する部分、１ａｂｃは縮小位置で突起２ａｂが係止される部分、１ａｂｄは伸長位置で突起２ａｂが係止される部分である。１ａｂｂは（ａ）の如く垂直に設定しても、（ｂ）の如くα度傾けて設定しても良い。
【０００９】
図６は前記４つの部分の各々におけるフリーベアリング本体１とアウターハウジング２の位置関係および溝１ａｂと突起２ａｂの状態を示す。また、図中の矢印は溝１ａｂと突起２ａｂの相対的な動きを表す。
図７は縮小時と伸長時の高さ比較を示す。縮小時の高さＨに対し伸長時の高さはＨ＋Ｌとなる。
【００１０】
以上はフリーベアリングとして独立した形態を説明したが、本発明はアウターハウジング本体２ａを被着体に一体的または別体的に組み込んだ形態でも可能である。図８はノートパソコン等の電子機器筐体もしくは電子機器台などに組み込む場合のアウターハウジング本体２ａの実施例である。
（ａ）は筐体底面３から下方へ一体的に突出させた場合を示す。
（ｂ）は筐体底面３から上方に一体的に突出させた場合を示す。
（ｃ）は筐体底面３から下方に別体的に突出させた場合を示す。
（ｄ）は筐体底面３から上方に別体的に突出させた場合を示す。
別体的に形成する（ｃ）および（ｄ）においては、筐体底面３とアウターハウジング本体２ａは溶着又は接着４にて固着される。
【００１１】
本発明をノートパソコンに使用した例を図９、図１０、図１１示す。ノートパソコンの底面には通常４隅にゴム足が敷設されている。独立した本フリーベアリングを用いる場合は、奥側の左右のゴム足付近に各々１個本フリーベアリングを取付ける。（図９参照）  筐体に一体的に敷設する場合は、奥側の左右のゴム足に代えて各々本フリーベアリングを敷設する。
【００１２】
図１０は本フリーベアリングを用いてノートパソコンをスライド移動する時の手順および効用を示す。
手順１  ノートパソコン筐体の手前側を持ち上げ、本フリーベアリングだけを机に接地させる。（（ａ）参照）
手順２  その状態で移動したい方向に押し引きする。（（ｂ）参照）
これにより、ボールの転がり運動によって容易かつ自在にスライド移動が可能である。
【００１３】
図１１は本フリーベアリングの高さ調節機構による更なる効用を示す。
（ａ）は従来のゴム足による接地状態を示す。
（ｂ）は本フリーベアリングの高さを最小にした状態を示す。この状態でキーボードに若干角度が付き打鍵性が向上すると共に、机の天板と筐体底面との隙間が若干広がり放熱性が向上する。
（ｃ）は本フリーベアリングの高さを最大にした状態を示す。この状態でキーボードに更に角度が付き打鍵性が更に改善されると共に、机の天板と筐体底面との隙間も更に広がり放熱性が更に向上する。
【図面の簡単な説明】
【００１４】
【図１】従来例
【図２】全体の構成を示す図
【図３】フリーベアリング本体１の構成例を示す図
【図４】アウターハウジング２の構成を示す図
【図５】溝の形状を示す部分側面図      （ａ）は１ａｂｂを垂直に設定した部分側面図      （ｂ）は１ａｂｂをα度傾けて設定した部分側面図
【図６】溝と爪の位置および状態を示す図
【図７】縮小時と伸長時を示す図
【図８】被着体にアウターハウジング本体２ａを組み込んだ例を示す図（ａ）は筐体底面３から下方へ一体的に突出させた場合の図（ｂ）は筐体底面３から上方に一体的に突出させた場合の図（ｃ）は筐体底面３から下方に別体的に突出させた場合の図（ｄ）は筐体底面３から上方に別体的に突出させた場合の図
【図９】本発明の使用例を示す図
【図１０】本発明品の使用手順および効用を示す図      （ａ）は手前を持ち上げた状態を示す図      （ｂ）は自在に移動することができることを示す図
【図１１】本発明の高さ調節機構による更なる効用を示す図      （ａ）は従来のゴム足による接地状態を示す図      （ｂ）は本フリーベアリングの高さを最小にした状態を示す図      （ｃ）は本フリーベアリングの高さを最大にした状態を示す図
【符号の説明】
【００１５】
１  フリーベアリング本体
１ａ  ハウジング
１ａａ  円筒部外面
１ａｂ  溝
１ａｂａ  突起挿入部
１ａｂｂ  スライド部
１ａｂｃ  縮小時の突起係止部
１ａｂｄ  伸長時の突起係止部
１ｂ  キャップ
１ｃ  メインボール
１ｄ  コンタクトプレート
１ｅ  ハウジングとキャップの溶着または接着
２  アウターハウジング
２ａ  アウターハウジング本体
２ａａ  円筒部内面
２ａｂ  突起
２ｂ  両面テープなどの接着手段
３  電子機器筐体底面または電子機器台本体
４  筐体または台本体とアウターハウジングの溶着または接着
【図１】
2008102764.tif 000003
【図２】
2008102764.tif 000004
【図３】
2008102764.tif 000005
【図４】
2008102764.tif 000006
【図９】
2008102764.tif 000007
【図１０】
2008102764.tif 000008
【図１１】
2008102764.tif 000009
【図５】
2008102764.tif 000010
【図６】
2008102764.tif 000011
【図７】
2008102764.tif 000012
【図８】
2008102764.tif 000013